(57)【要約】【課題】より柔軟なＤＲＸを実現することを可能にする。【解決手段】端末装置のための第１の不連続受信（ＤＲＸ）サイクルの長さを有する期間に繰り返し存在する複数のページング区間の中からページング区間を選択する選択部と、上記端末装置へのページングを行う場合には、選択される上記ページング区間内で当該ページングを行う制御部と、を備える通信制御装置が提供される。上記第１のＤＲＸサイクルの上記長さは、上記複数のページング区間の各々の長さで割り切れない長さである。【選択図】図６
2015035674.tif 000002
【特許請求の範囲】
【請求項１】
端末装置のための第１の不連続受信（ＤＲＸ）サイクルの長さを有する期間に繰り返し存在する複数のページング区間の中からページング区間を選択する選択部と、
前記端末装置へのページングを行う場合には、選択される前記ページング区間内で当該ページングを行う制御部と、
を備え、
前記第１のＤＲＸサイクルの前記長さは、前記複数のページング区間の各々の長さで割り切れない長さである、
通信制御装置。
【請求項２】
前記複数のページング区間の各々は、所定の長さを有し、当該所定の長さの第２のＤＲＸサイクルを使用する各端末装置へのページングを行うための区間である、請求項１に記載の通信制御装置。
【請求項３】
前記制御部は、前記端末装置へのページングを行う場合には、選択される前記ページング区間内の、前記端末装置の識別情報に対応するページング機会に、前記端末装置への前記ページングを行う、請求項１に記載の通信制御装置。
【請求項４】
前記選択部は、前記第１のＤＲＸサイクルの前記長さをそれぞれ有する連続する複数の期間の各々について、前記複数のページング区間の中からページング区間を選択する、請求項１に記載の通信制御装置。
【請求項５】
前記選択部は、前記複数の期間について選択される複数のページング区間の間隔が前記第１のＤＲＸサイクルの前記長さにより近くなるように、前記複数の期間の各々について前記複数のページング区間の中からページング区間を選択する、請求項４に記載の通信制御装置。
【請求項６】
前記選択部は、前記第１のＤＲＸサイクルの前記長さと前記複数のページング区間の各々の長さとを伴う除算を含む演算を使用して、前記複数の期間の各々について前記複数のページング区間の中からページング区間を選択する、請求項５に記載の通信制御装置。
【請求項７】
前記選択部は、端末装置のためにページング区間を個別にシフトするためのシフト情報に基づいて、前記複数の期間の各々について前記複数のページング区間の中からページング区間を選択する、請求項５に記載の通信制御装置。
【請求項８】
選択される前記ページング区間を前記端末装置に通知する通知部をさらに備える、請求項１に記載の通信制御装置。
【請求項９】
前記通知部は、選択される前記ページング区間を示す情報を前記端末装置に提供することにより、選択される前記ページング区間を前記端末装置に通知する、請求項８に記載の通信制御装置。
【請求項１０】
前記通知部は、選択される前記ページング区間を特定するための１つ以上のパラメータを示す情報を前記端末装置に提供することにより、選択される前記ページング区間を前記端末装置に通知する、請求項８に記載の通信制御装置。
【請求項１１】
前記複数のページング区間の中からのページング区間を選択すること、又は、選択される前記ページング区間内で前記ページングを行うことは、ＤＲＸ動作に関する前記端末装置の要望を考慮して行われる、請求項１に記載の通信制御装置。
【請求項１２】
前記複数のページング区間の各々の長さは、無線フレームを識別するためのシステムフレーム番号（ＳＦＮ）が最小である無線フレームの開始時点から前記ＳＦＮ番号が最大である無線フレームの終了時点までの長さの整数倍である、請求項１に記載の通信制御装置。
【請求項１３】
前記端末装置は、マシンタイプ通信（ＭＴＣ）を行う装置である、請求項１に記載の通信制御装置。
【請求項１４】
端末装置のための第１の不連続受信（ＤＲＸ）サイクルの長さを有する期間に繰り返し存在する複数のページング区間の中からページング区間をプロセッサにより選択することと、
前記端末装置へのページングを行う場合には、選択される前記ページング区間内で当該ページングを行うことと、
を含み、
前記第１のＤＲＸサイクルの前記長さは、前記複数のページング区間の各々の長さで割り切れない長さである、
通信制御方法。
【請求項１５】
端末装置であって、
前記端末装置のための第１の不連続受信（ＤＲＸ）サイクルの長さを有する期間に繰り返し存在する複数のページング区間の中から選択されるページング区間を示す情報を取得する取得部と、
前記ページング区間を示す前記情報に基づいてＤＲＸ動作を制御する制御部と、
を備え、
前記第１のＤＲＸサイクルの前記長さは、前記複数のページング区間の各々の長さで割り切れない長さである、
端末装置。
【請求項１６】
前記取得部は、前記ページング区間が基地局により通知されると、前記ページング区間を示す情報を取得する、請求項１５に記載の端末装置。
【請求項１７】
前記取得部は、前記ページング区間を特定するための１つ以上のパラメータを示す情報の提供により、前記ページング区間が基地局により通知されると、前記１つ以上のパラメータを使用して前記ページング区間を特定することにより、当該ページング区間を示す情報を取得する、請求項１６に記載の端末装置。
【請求項１８】
ＤＲＸ動作に関する前記端末装置の要望を基地局に通知する通知部をさらに備える、請求項１５に記載の端末装置。
【請求項１９】
端末装置を制御する情報処理装置であって、
所定のプログラムを記憶するメモリと、
前記所定のプログラムを実行可能な１つ以上のプロセッサと、
を備え、
前記所定のプログラムは、
前記端末装置のための第１の不連続受信（ＤＲＸ）サイクルの長さを有する期間に繰り返し存在する複数のページング区間の中から選択されるページング区間を示す情報を取得することと、
前記ページング区間を示す前記情報に基づいてＤＲＸ動作を制御することと、
を実行させるためのプログラムであり、
前記第１のＤＲＸサイクルの前記長さは、前記複数のページング区間の各々の長さで割り切れない長さである、
情報処理装置。
【発明の詳細な説明】
【技術分野】
【０００１】
本開示は、通信制御装置、通信制御方法、端末装置及び情報処理装置に関する。
【背景技術】
【０００２】
現在、３ＧＰＰ（Third  Generation  Partnership  Project）においてＬＴＥ（Long  Term  Evolution）の無線通信システムの規格化が進められている。ＬＴＥによれば、リレーやキャリアアグリゲーションなどの技術を用いることにより、最大通信速度の向上やセルエッジでの品質向上を実現することができる。また、ＨｅＮｏｄｅＢ（Ｈｏｍｅ  ｅＮｏｄｅＢ）、フェムトセル基地局、携帯電話用小型基地局）やＲＨＨ（リモートラジオヘッド）など、ｅＮｏｄｅＢ（マクロセル基地局）以外の基地局の導入によりカバレッジを向上させることも検討されている。
【０００３】
また、３ＧＰＰでは、ＭＴＣ（Ｍａｃｈｉｎｅ  Ｔｙｐｅ  Ｃｏｍｍｕｎｉｃａｔｉｏｎｓ）に関する議論も進められている。ＭＴＣは、一般的にＭ２Ｍ（Ｍａｃｈｉｎｅ  ｔｏ  Ｍａｃｈｉｎｅ）通信と同義であり、機械と機械の間の人間が直接利用しない通信を意味する。このＭＴＣは、主として、サーバと、人間が直接利用しないＭＴＣ端末との間で行われ、センサネットワークなど、散在する機器を効率的に結びつけるための重要な要素技術と考えられている。
【０００４】
ＬＴＥを上記のＭＴＣに応用する場合、バッテリー交換が人手を要する高コストな作業であること、及び、バッテリー交換が困難な場所にＭＴＣ端末が設置される可能性もあることから、ＭＴＣ端末のバッテリーの交換頻度は出来るだけ少ないことが望まれる。
【０００５】
一方、ＬＴＥのアイドルモードでは、接続モードに比べて不連続受信（Discontinuous  Reception：ＤＲＸ）サイクルを長くすることにより、端末の平均の消費電力を低減させることができると考えられている。なお、特許文献１及び特許文献２には、ページング方法の改善について開示されている。
【先行技術文献】
【特許文献】
【０００６】
【特許文献１】特開２０１０−２８８２７８号公報
【特許文献２】特開２０１０−０５０９６９号公報
【発明の概要】
【発明が解決しようとする課題】
【０００７】
しかし、特許文献１及び特許文献２に開示されている技術を含む従来の技術では、柔軟なＤＲＸを実現することが困難である。例えば、ＬＴＥで規定されるＤＲＸサイクルの長さは、０．３２秒、０．６４秒、１．２８秒及び２．５６秒（即ち、３２、６４、１２８及び２５６無線フレーム）である。そのため、例えば、ＤＲＸサイクルの長さは、最長でも２．５６秒であるため、十分に消費電力を低減することが困難である。また、例えば、ＤＲＸサイクルの長さは、０．３２秒、０．６４秒、１．２８秒及び２．５６秒のいずれかの倍数であるので、所望の長さのＤＲＸサイクル（例えば、５分）を実現することが困難である。
【０００８】
そこで、本開示では、より柔軟なＤＲＸを実現することを可能にする仕組みが提供されることが望ましい。
【課題を解決するための手段】
【０００９】
本開示によれば、端末装置のための第１の不連続受信（ＤＲＸ）サイクルの長さを有する期間に繰り返し存在する複数のページング区間の中からページング区間を選択する選択部と、上記端末装置へのページングを行う場合には、選択される上記ページング区間内で当該ページングを行う制御部と、を備える通信制御装置が提供される。上記第１のＤＲＸサイクルの上記長さは、上記複数のページング区間の各々の長さで割り切れない長さである。
【００１０】
また、本開示によれば、端末装置のための第１の不連続受信（ＤＲＸ）サイクルの長さを有する期間に繰り返し存在する複数のページング区間の中からページング区間をプロセッサにより選択することと、上記端末装置へのページングを行う場合には、選択される上記ページング区間内で当該ページングを行うことと、を含む通信制御方法が提供される。上記第１のＤＲＸサイクルの上記長さは、上記複数のページング区間の各々の長さで割り切れない長さである。
【００１１】
また、本開示によれば、端末装置であって、上記端末装置のための第１の不連続受信（ＤＲＸ）サイクルの長さを有する期間に繰り返し存在する複数のページング区間の中から選択されるページング区間を示す情報を取得する取得部と、上記ページング区間を示す上記情報に基づいてＤＲＸ動作を制御する制御部と、を備える端末装置が提供される。上記第１のＤＲＸサイクルの上記長さは、上記複数のページング区間の各々の長さで割り切れない長さである。
【００１２】
また、本開示によれば、端末装置を制御する情報処理装置であって、所定のプログラムを記憶するメモリと、上記所定のプログラムを実行可能な１つ以上のプロセッサと、を備える情報処理装置が提供される。上記所定のプログラムは、上記端末装置のための第１の不連続受信（ＤＲＸ）サイクルの長さを有する期間に繰り返し存在する複数のページング区間の中から選択されるページング区間を示す情報を取得することと、上記ページング区間を示す上記情報に基づいてＤＲＸ動作を制御することと、を実行させるためのプログラムである。上記第１のＤＲＸサイクルの上記長さは、上記複数のページング区間の各々の長さで割り切れない長さである。
【発明の効果】
【００１３】
以上説明したように本開示によれば、より柔軟なＤＲＸを実現することが可能となる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１４】
【図１】本開示の一実施形態に係る通信システム１の概略的な構成の一例を示す説明図である。
【図２】一実施形態に係るページング区間の第１の例を説明するための説明図である。
【図３】一実施形態に係るページング区間の第２の例を説明するための説明図である。
【図４】一実施形態に係る基地局の構成の一例を示すブロック図である。
【図５】第１のＤＲＸサイクルの長さがページング区間の整数倍である場合のページング区間の選択の一例を説明するための説明図である。
【図６】第１のＤＲＸサイクルの長さがページング区間の整数倍ではない場合のページング区間の選択の一例を説明するための説明図である。
【図７】ＨＦＮ値のサイクルの単位でのページング区間の選択の一例を説明するための説明図である。
【図８】シフト情報に基づくページング区間の選択の一例を説明するための説明図である。
【図９】パラメータ情報の一例を説明するための説明図である。
【図１０】一実施形態に係る端末装置の構成の一例を示すブロック図である。
【図１１】一実施形態に係る基地局による第１の通信制御処理の概略的な流れの一例を示すフローチャートである。
【図１２】一実施形態に係る基地局による第２の通信制御処理の概略的な流れの一例を示すフローチャートである。
【図１３】一実施形態に係る端末装置による通信制御処理の概略的な流れの一例を示すフローチャートである。
【図１４】本開示に係る技術が適用され得るｅＮＢの概略的な構成の第１の例を示すブロック図である。
【図１５】本開示に係る技術が適用され得るｅＮＢの概略的な構成の第２の例を示すブロック図である。
【図１６】本開示に係る技術が適用され得るスマートフォンの概略的な構成の一例を示すブロック図である。
【図１７】本開示に係る技術が適用され得るカーナビゲーション装置の概略的な構成の一例を示すブロック図である。
【発明を実施するための形態】
【００１５】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１６】
なお、説明は以下の順序で行うものとする。
１．本実施形態に係る通信システムの概略的な構成
２．基地局の構成
３．端末装置の構成
４．処理の流れ
５．応用例
６．まとめ
【００１７】
＜１．通信システムの概略的な構成＞
まず、図１〜図３を参照して、本開示の実施形態に係る通信システムの概略的な構成を説明する。図１は、本実施形態に係る通信システム１の概略的な構成の一例を示す説明図である。図１を参照すると、通信システム１は、基地局１００、端末装置２００及び端末装置２０を含む。通信システム１は、例えば、ＬＴＥ、ＬＴＥ−Ａｄｖａｎｃｅｄ、又はこれらに準ずる通信方式に従ったシステムである。
【００１８】
（基地局１００）
基地局１００は、セル１０内に位置する端末装置２００及び端末装置２０との無線通信を行う。また、基地局１００は、コアネットワークノード（例えば、ＭＭＥ（Mobility  Management  Entity）Ｓ−ＧＷ（Serving  Gateway）、及びＰ−ＧＷ（Packet  Data  Network  Gateway）、など）と通信する。
【００１９】
また、基地局１００は、ページングを行う。具体的には、例えば、基地局１００は、時間軸上に繰り返し存在する各ページング区間内で、必要に応じて、端末装置のページング機会に当該端末装置向けのページングメッセージを送信する。当該ページング区間は、ページングサイクルとも呼ばれ得る。以下、図２及び図３を参照して、ページング区間の具体例を説明する。
【００２０】
図２は、本実施形態に係るページング区間の第１の例を説明するための説明図である。図２を参照すると、システムフレーム番号（System  Frame  Number：ＳＦＮ）が０〜１０２３の無線フレームとその前後の無線フレームとが示されている。この例では、ページング区間の長さＴＰは、２５６無線フレーム（即ち、２．５６秒）である。基地局１００は、長さＴＰを有する各ページング区間内のページングフレーム（ＰＦ）で、当該ＰＦに対応する識別情報（例えば、ＩＭＳＩ（International  Mobile  Subscriber  Identity））を有する端末装置向けのページングメッセージを送信する。例えばこのように、従来と同様のページング区間が使用され得る。なお、ページング区間の長さＴＰは、２５６無線フレーム（２．５６秒）の代わりに、３２無線フレーム（０．３２秒）、６４無線フレーム（０．６４秒）又は１２８無線フレーム（１．２８秒）であってもよい。
【００２１】
図３は、本実施形態に係るページング区間の第２の例を説明するための説明図である。図３を参照すると、システムフレーム番号（System  Frame  Number：ＳＦＮ）が０〜１０２３の無線フレームの４セットとその前後の無線フレームとが示されている。この例では、ページング区間の長さＴＰは、１０２４無線フレーム（即ち、１０．２４秒）である。基地局１００は、長さＴＰを有する各ページング区間内のページングフレーム（ＰＦ）で、当該ＰＦに対応する識別情報（例えば、ＩＭＳＩ）を有する端末装置向けのページングメッセージを送信する。例えばこのように、従来のページング区間よりも長いページング区間が使用され得る。なお、ページング区間の長さＴＰは、１０２４無線フレーム（１０．２４秒）の代わりに、１０２４無線フレームの整数倍（１０．２４秒の整数倍）であってもよい。即ち、ページング区間の長さは、無線フレームを識別するためのシステムフレーム番号（ＳＦＮ）が最小である無線フレームの開始時点から上記ＳＦＮ番号が最大である無線フレームの終了時点までの長さの整数倍であってもよい。
【００２２】
なお、以降、システムフレーム番号（ＳＦＮ）が０〜１０２３の無線フレームのサイクルを、ＳＦＮサイクルと呼ぶ。また、繰り返されるこのＳＦＮサイクルが使用される場合、各ＳＮＦサイクルは、例えば、各ＳＮＦサイクルに対応する番号であるＨＦＮ（Hyper  Frame  Number）によって識別される。
【００２３】
（端末装置２００）
端末装置２００は、セル１０内に位置する場合に、基地局１００との無線通信を行う。また、端末装置２００は、基地局１００を介して、他の装置（例えば、コアネットワークノード及び外部装置）と通信する。
【００２４】
また、端末装置２００は、不連続受信（Discontinuous  Reception：ＤＲＸ）動作を行う。ＤＲＸ動作は、間欠受信動作とも呼ばれる。端末装置２００は、例えば、アイドルモードである場合に、ＤＲＸ動作を行う。具体的には、例えば、端末装置２００は、端末装置２００のページング機会に通常の受信動作を行い、他の期間では受信動作の少なくとも一部を停止する。例えば、端末装置２００は、受信動作の少なくとも一部の停止の際に、受信動作に関連する回路の少なくとも一部に電力を供給しない。なお、端末装置２００は、接続モードである場合にもＤＲＸ動作を行なってもよい。
【００２５】
とりわけ本実施形態では、端末装置２００のための第１のＤＲＸサイクルの長さは、上記ページング区間よりも長い。なお、端末装置２００は、上記第１のＤＲＸサイクルとは異なるＤＲＸサイクルも使用し得る。
【００２６】
端末装置２００は、例えば、マシンタイプ通信（Machine  Type  Communication：ＭＴＣ）を行う装置である。
【００２７】
（端末装置２０）
端末装置２０は、セル１０内に位置する場合に、基地局１００との無線通信を行う。また、端末装置２０は、基地局１００を介して、他の装置（例えば、コアネットワークノード及び外部装置）と通信する。
【００２８】
また、端末装置２０は、端末装置２００と同様に、ＤＲＸ動作を行う。
【００２９】
とりわけ本実施形態では、端末装置２０のための第２のＤＲＸサイクルの長さは、上記ページング区間の長さと同一である。なお、端末装置２０は、上記第２のＤＲＸサイクルとは異なるＤＲＸサイクルも使用し得る。
【００３０】
例えば、上記ページング区間は、所定の長さを有し、当該所定の長さの第２のＤＲＸサイクルを使用する各端末装置へのページングを行うための区間である。即ち、ページング区間ごとに、各端末装置２０のためのページング機会が与えられる。
【００３１】
なお、図１では、１つの端末装置２００及び１つの端末装置２０が示されているが、当然ながら、通信システム１は、２つ以上の端末装置２００を含んでもよく、２つ以上の端末装置２０を含んでもよい。
【００３２】
＜２．基地局の構成＞
続いて、図４〜図９を参照して、本実施形態に係る基地局１００の構成の一例を説明する。図４は、本実施形態に係る基地局１００の構成の一例を示すブロック図である。図４を参照すると、基地局１００は、アンテナ部１１０、無線通信部１２０、ネットワーク通信部１３０、記憶部１４０及び処理部１５０を備える。
【００３３】
（アンテナ部１１０）
アンテナ部１１０は、無線信号を受信し、受信された無線信号を無線通信部１２０へ出力する。また、アンテナ部１１０は、無線通信部１２０により出力された送信信号を送信する。
【００３４】
（無線通信部１２０）
無線通信部１２０は、セル１０内に位置する端末装置との無線通信を行う。例えば、無線通信部１２０は、端末装置２００との無線通信を行う。また、例えば、無線通信部１２０は、端末装置２０との無線通信を行う。
【００３５】
（ネットワーク通信部１３０）
ネットワーク通信部１３０は、他の通信ノードと通信する。例えば、ネットワーク通信部１３０は、他の基地局１００と通信する。また、例えば、ネットワーク通信部１３０は、コアネットワークノードと通信する。
【００３６】
（記憶部１４０）
記憶部１４０は、基地局１００の動作のためのプログラム及びデータを記憶する。
【００３７】
（処理部１５０）
処理部１５０は、基地局１００の様々な機能を提供する。処理部１５０は、ページング区間選択部１５１、ページング区間通知部１５３及びページング制御部１５５を含む。
【００３８】
（ページング区間選択部１５１）
ページング区間選択部１５１は、端末装置２００のための第１のＤＲＸサイクルの長さを有する期間に繰り返し存在する複数のページング区間の中からページング区間を選択する。
【００３９】
例えば、ページング区間選択部１５１は、上記第１のＤＲＸサイクルの長さをそれぞれ有する連続する複数の期間の各々について、上記複数のページング区間の中からページング区間を選択する。より具体例には、例えば、ページング区間選択部１５１は、上記複数の期間について選択される複数のページング区間の間隔が上記第１のＤＲＸサイクルの長さにより近くなるように、上記複数の期間の各々について上記複数のページング区間の中からページング区間を選択する。
【００４０】
−第１のＤＲＸサイクルの長さがページング区間の長さの整数倍である場合
第１の例として、上記第１のＤＲＸサイクルの長さは、ページング区間の長さで割り切れる長さである。即ち、上記第１のＤＲＸサイクルの長さは、ページング区間の長さの整数倍である。以下、このような場合におけるページング区間の選択の具体例を、図５を参照して説明する。
【００４１】
図５は、第１のＤＲＸサイクルの長さがページング区間の整数倍である場合のページング区間の選択の一例を説明するための説明図である。図５を参照すると、第１のＤＲＸサイクルの長さＴＤＲＸをそれぞれ有する連続する２つの期間、及び、長さＴＰを有するページング区間が示されている。この例では、第１のＤＲＸサイクルの長さＴＤＲＸ（即ち、上記２つの期間の各々の長さＴＤＲＸ）は、ページング区間の長さＴＰの８倍である。即ち、長さＴＤＲＸを有する各期間に、長さＴＰをそれぞれ有する８つのページング区間が繰り返し存在する。そして、例えば、ページング区間選択部１５１は、８つのページング区間のうちの先頭のページング区間を選択する。また、長さＴＤＲＸをそれぞれ有する連続する２つの期間について選択される２つのページング区間ＴＰの間隔が、第１のＤＲＸサイクルの長さＴＤＲＸにより近くなるように、長さＴＤＲＸを有する各期間について、８つのページング区間のうちの先頭のページング区間が選択される。なお、図５には、長さＴＤＲＸを有する連続する２つの期間が示されているが、当然ながら、長さＴＤＲＸをそれぞれ有する連続するさらに多数の期間が存在し、各期間について、先頭のページング区間が選択され得る。また、８つのページング区間のうちの先頭のページング区間の代わりに、８つのページング区間のうちの別のページング区間が選択されてもよい。
【００４２】
例えば以上のように、第１のＤＲＸサイクルの長さＴＤＲＸを有する期間に繰り返し存在する複数のページング区間の中からページング区間が選択される。
【００４３】
−第１のＤＲＸサイクルの長さがページング区間の長さの整数倍ではない場合
第２の例として、上記第１のＤＲＸサイクルの長さは、ページング区間の各々の長さで割り切れない長さである。即ち、上記第１のＤＲＸサイクルの長さは、ページング区間の長さの整数倍ではない。以下、このような場合におけるページング区間の選択の具体例を、図６を参照して説明する。
【００４４】
図６は、第１のＤＲＸサイクルの長さがページング区間の整数倍ではない場合のページング区間の選択の一例を説明するための説明図である。この例では、図３に示される例のように、ページング区間の長さＴＰは、１０２４無線フレーム（即ち、１０．２４秒）、即ちＳＦＮサイクルの長さであるものとする。また、各ＳＦＮサイクルがページング区間となるものとする。図６を参照すると、第１のＤＲＸサイクルの長さＴＤＲＸを有する期間、及び、長さＴＰを有するページング区間が、示されている。長さＴＰを有する各ページング区間は、ＳＦＮサイクルであり、ＨＦＮ値により示される。この例では、例えば、第１のＤＲＸサイクルの長さＴＤＲＸ（即ち、期間の長さＴＤＲＸ）は、５分（３００秒）であり、ページング区間の長さＴＰである１０．２４秒では割り切れない。例えば、長さＴＤＲＸを有する１つの期間に、ＨＦＮ値０〜２９により示される３０個のページング区間ＴＰが繰り返し存在する。そして、例えば、ページング区間選択部１５１は、ＨＦＮ値０〜２９により示される３０個のページング区間のうちの、ＨＦＮ値０により示されるページング区間を選択する。同様に、長さＴＤＲＸを有する１つの期間に、ＨＦＮ値２９〜５８により示される３０個のページング区間が繰り返し存在し、ＨＦＮ値２９により示されるページング区間が選択される。また、長さＴＤＲＸを有する１つの期間に、ＨＦＮ値５８〜８７により示される３０個のページング区間が繰り返し存在し、ＨＦＮ値５８により示されるページング区間が選択される。また、長さＴＤＲＸを有する１つの期間に、ＨＦＮ値８７〜１１７により示される３１個のページング区間ＴＰが繰り返し存在し、ＨＦＮ値８７により示されるページング区間が選択される。このように、おおよそ０分（ＨＦＮ＝０）、５分（ＨＦＮ＝２９）、１０分（ＨＦＮ＝５８）、１５分（ＨＦＮ＝８７）などのタイミングに対応するページング区間が選択され得る。なお、ＨＦＮ値は、例えば、ＳＦＮと同様に、ＭＩＢ（Master  Information  Block）又はＳＩＢ（System  Information  Block）などの、システム情報の中で通知され得る。あるいは、ＨＦＮ値は、端末装置２００へのページング時に通知されてもよい。より具体的には、ＨＦＮ値は、端末装置２００へのページングメッセージの中に含まれてもよい。
【００４５】
例えば以上のように、ページング区間が選択される。このようなページング区間の選択の具体的な手法として、様々な手法が存在し得る。一例として、ページング区間選択部１５１は、第１のＤＲＸサイクルの長さとページング区間の長さとを伴う除算を含む演算を使用して、上記複数の期間の各々について上記複数のページング区間の中からページング区間を選択する。
【００４６】
具体的には、例えば、前提として、図６に示されるように上述したように、各ページング区間は、ＳＦＮサイクルであり、ＨＦＮ値により示されるものとする。この場合に、選択するページング区間は、第１のＤＲＸサイクルの長さＴＤＲＸ（秒）、ページング区間の長さ（即ち、ＳＦＮサイクルの長さ）である１０．２４秒を用いて、以下のようなＨＦＮ値ｋｐａｇｉｎｇにより示される。
【００４７】
【数１】
2015035674.tif 000003
【００４８】
ｉは、選択されるページング区間のインデックスであり、ｆｌｏｏｒ（）は小数点以下を切り捨てる関数である。一例として、図６を参照して説明した例のように、第１のＤＲＸサイクルの長さＴＤＲＸが３００秒である。この場合に、ｉ＝０であればｋｐａｇｉｎｇ＝０であり、ｉ＝１であればｋｐａｇｉｎｇ＝２９であり、ｉ＝２であればｋｐａｇｉｎｇ＝５８であり、ｉ＝３であればｋｐａｇｉｎｇ＝８７である。
【００４９】
なお、例えば、ＨＦＮ値は、０〜７４９９の値を有する。即ち、ＨＦＮ値は、７５００ＳＦＮサイクル（即ち、７６８００秒）ごとに繰り返される。７６８００秒は、１０．２４秒の整数倍であるだけではなく、実用上利用価値の高い５分及び１０分などの時間の倍数でもある。よって、ＨＦＮ値のサイクル（即ち、７６８００秒）の単位で、同様にページング区間を選択することが可能である。以下、この点について図７を参照して具体例を説明する。
【００５０】
図７は、ＨＦＮ値のサイクルの単位でのページング区間の選択の一例を説明するための説明図である。図７を参照すると、長さＴＨＦＮ（即ち、７５００ＳＦＮサイクル）を有するＨＦＮ値のサイクル、第１のＤＲＸサイクルの長さＴＤＲＸを有する期間、及び、長さＴＰを有するページング区間が、示されている。このような長さＴＨＦＮを有する期間の単位で、ページング区間を同様に選択することが可能である。一例として、ＨＦＮ値０により示されるページング区間は、ＨＦＮ値のいずれのサイクルにおいても選択される。
【００５１】
−選択するページング区間のシフト
例えば、ページング区間選択部１５１は、端末装置２００のためにページング区間を個別にシフトするためのシフト情報に基づいて、上記複数の期間の各々について上記複数のページング区間の中からページング区間を選択する。
【００５２】
より具体的には、例えば、上記シフト情報は、ページング区間のシフト量を示す情報であり、当該シフト量は、ページング区間の整数倍である。一例として、上記シフト情報がシフト量として０を示す場合に、ＨＦＮ値ｋにより示されるページング区間が選択され、上記シフト情報がシフト量として１を示す場合に、ＨＦＮ値ｋ＋１により示されるページング区間が選択される。以下、図８を参照して具体例を説明する。
【００５３】
図８は、シフト情報に基づくページング区間の選択の一例を説明するための説明図である。例えば、図７に示される例が、上記シフト情報がシフト量として０を示す場合の例とすると、図８に示される例は、上記シフト情報がシフト量として１を示す場合の例である。図７に示される例では、ＨＦＮ値０、２９及び５８などにより示されるページング区間が選択されるが、図８に示される例では、ＨＦＮ値１、３０及び５９などにより示されるページング区間が選択される。このように、選択されるページング区間がシフトされる。
【００５４】
なお、シフト情報に基づいて選択するページング区間は、シフト量ｊを用いて、以下のようなＨＦＮ値ｋｐａｇｉｎｇにより示される。
【００５５】
【数２】
2015035674.tif 000004
【００５６】
一例として、第１のＤＲＸサイクルの長さＴＤＲＸが３００秒であり、シフト量ｊが１である。この場合に、ｉ＝０であればｋｐａｇｉｎｇ＝１であり、ｉ＝１であればｋｐａｇｉｎｇ＝３０であり、ｉ＝２であればｋｐａｇｉｎｇ＝５９であり、ｉ＝３であればｋｐａｇｉｎｇ＝８８である。
【００５７】
このようなシフト情報に基づくページング区間の選択により、選択するページング区間を自由にシフトすることが可能になる。そのため、例えば、より望ましいタイミングでのページングメッセージの送受信が可能になる。一例として、アプリケーションごとのデータ処理に要する時間などを考慮して適切なタイミングでページングメッセージを送受信することが可能になる。
【００５８】
（ページング区間通知部１５３）
ページング区間通知部１５３は、選択される上記ページング区間を端末装置２００に通知する。例えば、ページング区間通知部１５３は、ＲＲＣシグナリングにより、又はシステム情報の中で、選択される上記ページング区間を端末装置２００に通知する。このような通知により、端末装置２００は、適切なＤＲＸ動作を行うことが可能になる。
【００５９】
−ページング区間を示す情報の提供
第１の例として、ページング区間通知部１５３は、選択される上記ページング区間を示す情報（以下、「ページング区間情報」と呼ぶ）を端末装置２００に提供することにより、選択される上記ページング区間を端末装置２００に通知する。
【００６０】
具体的には、例えば、図７を参照して説明したように、ページング区間は、ＳＦＮサイクルであり、ＨＦＮ値により示される。この場合に、例えば、ページング区間情報は、ＨＦＮ値である。なお、一例として、ＨＦＮ値は、０〜７４９９の値を有し、１３ビットの情報であり得る。
【００６１】
なお、ページング区間情報において、ページング区間は、ＨＦＮ値により示される代わりに、当該ページング区間の開始時点と終了時点とにより示されてもよい。これにより、ページング区間がＳＦＮサイクルではない場合（例えば、ページング区間がＳＦＮサイクルの整数倍である場合、又は、ページング区間がＳＦＮサイクルより短い場合など）にも、選択されるページング区間を通知することが可能になる。
【００６２】
また、ページング区間情報は、選択された１つのページング区間ではなく、選択された複数のページング区間を示す情報（例えば、選択されたページング区間のリスト）であってもよい。
【００６３】
また、１つのページング区間又は複数のページング区間の組合せを示すインデックス値が基地局１００と端末装置２００との間で共有され、上記ページング区間情報として、当該インデックス値が提供されてもよい。
【００６４】
以上のように、第１の例として、ページング区間情報の提供により、選択されるページング区間が直接的に通知される。これにより、基地局１００は、端末装置２００に依存することなく、ページング区間をより自由に選択することが可能になる。
【００６５】
−ページング区間の特定のためのパラメータを示す情報の提供
第２の例として、ページング区間通知部１５３は、選択される上記ページング区間を特定するための１つ以上のパラメータを示す情報（以下、「パラメータ情報」と呼ぶ）を端末装置２００に提供することにより、選択される上記ページング区間を端末装置２００に通知してもよい。
【００６６】
具体的には、例えば、上記１つ以上のパラメータは、ＤＲＸサイクルの長さ、及びページング区間のシフト量を含んでもよい。以下、この点について図９を参照して具体例を説明する。
【００６７】
図９は、パラメータ情報の一例を説明するための説明図である。図９を参照すると、ＤＲＸサイクルの長さ及びページング区間のシフト量の組合せとインデックス値とが示されている。例えば、ＤＲＸサイクルの長さ（秒）及びシフト量の組合せとして、「６０」及び「０」（インデックス値１）、「３００」及び「０」（インデックス値２）、「６００」及び「０」（インデックス値３）及び「６０」及び「１」（インデックス値４）が示されている。例えば、パラメータ情報は、このような２つのパラメータを示すインデックス値であってもよい。この場合に、ＤＲＸサイクルの長さ及びページング区間のシフト量の組合せとインデックス値との関係を示す情報（即ち、図９に示される情報）が、基地局１００と端末装置２００との間で予め共有されてもよい。
【００６８】
なお、提供されるパラメータ情報は、上述したインデックス値に限られない。例えば、パラメータ情報は、個々のパラメータをそれぞれ示すインデックス値の組合せ（例えば、ＤＲＸサイクルの長さを示すインデックス値と、シフト量を示すインデックス値との組合せ）であってもよい。あるいは、パラメータ情報は、１つ以上のパラメータの値そのもの（例えば、ＤＲＸサイクルの長さ及びシフト量など）であってもよい。
【００６９】
以上のように、第２の例として、パラメータ情報の提供により、選択されるページング区間が間接的に通知される。これにより、端末装置２００は、選択されるページング区間を自ら特定することが可能になる。そのため、選択されたページング区間は端末装置２００に随時通知されなくてもよい。その結果、例えば、ページング区間の通知に要するオーバーヘッドが抑えられ得る。
【００７０】
（ページング制御部１５５）
ページング制御部１５５は、端末装置へのページングを行う。
【００７１】
例えば、ページング制御部１５５は、各ページング機会に送信されるページングメッセージを生成する。各ページング機会に送信されるページングメッセージは、ページング機会に対応する端末装置向けのページングメッセージである。また、ページング制御部１５５は、無線通信部１２０を介して、各ページング機会に、生成されたページングメッセージを送信する。
【００７２】
また、例えば、ページング制御部１５５は、端末装置によるシステム情報の再取得が必要な場合に、当該端末装置へのページングを行う。また、ページング制御部１５５は、他の装置からの要求に応じて、端末装置へのページングを行う。例えば、当該他の装置は、コアネットワークノード（例えば、ＭＭＥ）であり、上記要求は、上記他の装置からのページングメッセージ（例えば、Ｓ１ＡＰページングメッセージ）である。
【００７３】
−端末装置２００へのページング
−−ページングが行われるページング区間
例えば、ページング制御部１５５は、端末装置２００へのページングを行う場合には、選択される上記ページング区間内で当該ページングを行う。換言すると、ページング制御部１５５は、選択される上記ページング区間内で、必要に応じて端末装置２００へのページングを行う。
【００７４】
具体例として、図６の例を参照すると、ページング区間は、ＳＦＮサイクルであり、ページング制御部１５５は、例えば、ＨＦＮ値０、２９、５８、８７などにより示されるページング区間（ＳＦＮサイクル）内で、必要に応じて端末装置２００へのページングを行う。なお、ページング制御部１５５は、端末装置２００へのページングが必要であったとしても、その他のページング区間（ＳＦＮサイクル）では端末装置２００へのページングを行わない。
【００７５】
これにより、より柔軟なＤＲＸを実現することが可能になる。
【００７６】
例えば、第１に、ページング区間の長さよりも長いＤＲＸサイクルを使用することが可能になる。これにより、端末装置２００の消費電力をより抑制することが可能になる。また、例えば、第２に、長いＤＲＸサイクルが使用されたとしても、端末装置の識別情報（例えば、ＩＭＳＩ）にかかわらず、ページング機会をより短い期間内に（即ち、選択されたページング区間内に）限定することができるので、より望ましいタイミングにページングを行うことが可能になる。また、例えば、第３に、所望のＤＲＸサイクルがページング区間により割り切れない場合であっても、当該所望のＤＲＸサイクルに非常に近いＤＲＸサイクルを実現することが可能になる。
【００７７】
結果として、例えば、５分、１０分などの長さを有する実用上有用なＤＲＸサイクルを小さい誤差（例えば、１ページング区間未満）で実現することが可能になる。また、例えば、所望の時刻（例えば、時刻０：００、０：０５、０：１０のなどの時刻）にページングを行うことが可能になる。そのため、例えば、ＭＴＣアプリケーションなどの様々なアプリケーションの要求に応じた端末装置の動作を実現することが可能になる。
【００７８】
−−選択されるページング区間内でのページング
さらに、例えば、ページング制御部１５５は、端末装置２００へのページングを行う場合には、選択される上記ページング区間内の、端末装置２００の識別情報（以下、「端末ＩＤ」と呼ぶ）に対応するページング機会に、端末装置２００へのページングを行う。即ち、選択されるページング区間内では、通常どおりに、端末装置２００へのページングが行われる。上記ページング機会は、例えば、端末ＩＤ（例えば、ＩＭＳＩ）に対応するページングフレームである。
【００７９】
具体例として、図３の例に示されるように、ページング区間は、ＳＦＮサイクルであり、ページング制御部１５５は、選択されたページング区間内の、端末装置２００の端末ＩＤに対応するページングフレームで、端末装置２００向けのページングメッセージを送信する。
【００８０】
これにより、例えば、既存のページングの仕組みを維持しつつ、第１のＤＲＸサイクルを有する端末装置２００へのページングを行うことが可能になる。
【００８１】
−端末装置２０へのページング
−−ページングが行われるページング区間
例えば、ページング制御部１５５は、各ページング区間内で、必要に応じて端末装置２０へのページングを行う。即ち、通常どおりに、端末装置２０へのページングが行われる。
【００８２】
具体例として、図６の例を参照すると、ページング区間は、ＳＦＮサイクルであり、ページング制御部１５５は、例えば、各ＨＦＮ値により示されるページング区間（ＳＦＮサイクル）内で、必要に応じて端末装置２０へのページングを行う。
【００８３】
−−選択されるページング区間内でのページング
さらに、例えば、ページング制御部１５５は、端末装置２０へのページングを行う場合には、ページング区間内の、端末装置２０の端末ＩＤに対応するページング機会に、端末装置２０へのページングを行う。即ち、通常どおりに、端末装置２０へのページングが行われる。
【００８４】
具体例として、図３の例に示されるように、ページング区間は、ＳＦＮサイクルであり、ページング制御部１５５は、ページング区間内の、端末装置２０の端末ＩＤ（例えば、ＩＭＳＩ）に対応するページングフレームで、端末装置２０向けのページングメッセージを送信する。
【００８５】
（その他）
なお、上記複数のページング区間の中からのページング区間を選択すること、又は、選択される上記ページング区間内で上記ページングを行うことは、ＤＲＸ動作に関する端末装置２００の要望を考慮して行われてもよい。即ち、ページング区間選択部１５１及びページング制御部１５５（並びにページング区間通知部１５３）による、端末装置２００に関する動作は、上記要望を考慮して行われてもよい。
【００８６】
一例として、端末装置２００の上記要望は、端末装置２００のプリファレンス情報の提供により、基地局１００に通知されてもよい。そして、基地局１００は、当該プリファレンス情報を考慮して、ページング区間選択部１５１、ページング区間通知部１５３及びページング制御部１５５による端末装置２００に関する動作を行うか否かを決定してもよい。あるいは、基地局１００は、当該プリファレンス情報を考慮して、第１のＤＲＸサイクルを端末装置２００に使用させるか否かを決定してもよい。あるいは、基地局１００は、当該プリファレンス情報を考慮して、第１のＤＲＸサイクルを含むＤＲＸサイクル候補のうちの、端末装置２００に使用させるＤＲＸサイクルを決定してもよい。
【００８７】
これにより、例えば、端末装置２００が所望のＤＲＸ動作を行う可能性が向上し得る。
【００８８】
＜３．端末装置の構成＞
続いて、図１０を参照して、本実施形態に係る端末装置２００の構成の一例を説明する。図１０は、本実施形態に係る端末装置２００の構成の一例を示すブロック図である。図１０を参照すると、端末装置２００は、アンテナ部２１０、無線通信部２２０、記憶部２３０、入力部２４０、表示部２５０及び処理部２６０を備える。
【００８９】
（アンテナ部２１０）
アンテナ部２１０は、無線信号を受信し、受信された無線信号を無線通信部２２０へ出力する。また、アンテナ部２１０は、無線通信部２２０により出力された送信信号を送信する。
【００９０】
（無線通信部２２０）
無線通信部２２０は、端末装置２００がセル１０内に位置する場合に、基地局１００との無線通信を行う。
【００９１】
（記憶部２３０）
記憶部２３０は、端末装置２００の動作のためのプログラム及びデータを記憶する。
【００９２】
（入力部２４０）
入力部２４０は、端末装置２００のユーザによる入力を受け付ける。そして、入力部２４０は、入力結果を処理部２６０に提供する。
【００９３】
（表示部２５０）
表示部２５０は、端末装置２００からの出力画面（即ち、出力画像）を表示する。例えば、表示部２５０は、処理部２６０（表示制御部２６７）による制御に応じて、出力画面を表示する。
【００９４】
（処理部２６０）
処理部２６０は、端末装置２００の様々な機能を提供する。処理部２６０は、要望通知部２６１、情報取得部２６３、ＤＲＸ制御部２６５及び表示制御部２６７を含む。
【００９５】
（要望通知部２６１）
要望通知部２６１は、端末装置２００の要望を他の装置に通知する。
【００９６】
例えば、要望通知部２６１は、ＤＲＸ動作に関する端末装置２００の要望を基地局１００に通知してもよい。具体的には、例えば、要望通知部２６１は、端末装置２００のプリファレンス情報の提供により、基地局１００に通知してもよい。当該プリファレンス情報は、消費電力に関するプリファレンス情報であってもよく、使用するＤＲＸサイクル又はページングに関するプリファレンス情報であってもよく、ＭＴＣに関するプリファレンス情報であってもよい。
【００９７】
これにより、例えば、端末装置２００が所望のＤＲＸ動作を行う可能性が向上し得る。
【００９８】
（情報取得部２６３）
情報取得部２６３は、端末装置２００のための第１のＤＲＸサイクルの長さを有する期間に繰り返し存在する複数のページング区間の中から選択されるページング区間を示す情報（即ち、ページング区間情報）を取得する。例えば、上記第１のＤＲＸサイクルの長さは、上記複数のページング区間の各々の長さで割り切れない長さである。
【００９９】
例えば、情報取得部２６３は、上記ページング区間が基地局１００により通知されると、上記ページング区間を示す情報を取得する。
【０１００】
−ページング区間を示す情報が提供される場合
第１の例として、上記ページング区間を示す情報（即ち、ページング区間情報）の提供により、上記ページング区間が基地局１００により通知される。この場合に、情報取得部２６３は、提供される上記ページング区間情報を取得する。上記ページング区間情報の具体的な内容は、基地局１００の構成に関連して説明したとおりである。
【０１０１】
これにより、基地局１００は、端末装置２００に依存することなく、ページング区間をより自由に選択することが可能になる。
【０１０２】
−ページング区間の特定のためのパラメータを示す情報が提供される場合
第２の例として、上記ページング区間を特定するための１つ以上のパラメータを示す情報（即ち、パラメータ情報）の提供により、上記ページング区間が基地局１００により通知されてもよい。この場合に、情報取得部２６３は、上記１つ以上のパラメータを使用して上記ページング区間を特定することにより、上記ページング区間を示す情報（即ち、ページング区間情報）を取得してもよい。上記パラメータ情報の具体的な内容は、基地局１００の構成に関連して説明したとおりである。なお、情報取得部２６３は、基地局１００によるページング区間の選択と同様の手法により、選択されたページング区間を特定してもよい。
【０１０３】
これにより、端末装置２００は、選択されるページング区間を自ら特定することが可能になる。そのため、選択されたページング区間は端末装置２００に随時通知されなくてもよい。その結果、例えば、ページング区間の通知に要するオーバーヘッドが抑えられ得る。
【０１０４】
（ＤＲＸ制御部２６５）
ＤＲＸ制御部２６５は、上記ページング区間を示す上記情報（即ち、ページング区間情報）に基づいてＤＲＸ動作を制御する。
【０１０５】
例えば、ＤＲＸ制御部２６５は、端末装置２００がアイドルモード（例えば、ＲＲＣ（Radio  Resource  Control）アイドルモード）である場合に、ＤＲＸ動作を制御する。
【０１０６】
より具体的には、例えば、ＤＲＸ制御部２６５は、選択されたページング区間内の端末装置２００のページング機会に（例えば、端末装置２００の端末ＩＤに対応するページングフレームで）通常の受信動作を行うように、端末装置２００を制御する。一例として、ＤＲＸ制御部２６５は、選択されたページング区間内の上記ページング機会には、受信動作に関連する回路に電力が供給されるように、電力供給を制御する。
【０１０７】
一方、例えば、ＤＲＸ制御部２６５は、選択されたページング区間以外のページング区間内に受信動作の少なくとも一部を停止するように、端末装置２００を制御する。一例として、ＤＲＸ制御部２６５は、選択されたページング区間以外のページング区間内には、受信動作に関連する回路の少なくとも一部に電力が供給されないように、電力供給を制御する。
【０１０８】
これにより、より柔軟なＤＲＸを実現することが可能になる。この点については、基地局１００に関連して説明したとおりである。
【０１０９】
なお、ＤＲＸ制御部２６５は、端末装置２００が接続モード（例えば、ＲＲＣ接続モード）である場合にも、ＤＲＸ動作を制御してもよい。
【０１１０】
（表示制御部２６７）
表示制御部２６７は、表示部２５０による出力画面の表示を制御する。例えば、表示制御部２６７は、表示部２５０により表示される出力画面を生成し、当該出力画面を表示部２５０に表示させる。
【０１１１】
＜４．処理の流れ＞
続いて、図１１〜図１３を参照して、本実施形態に係る通信制御処理の例を説明する。
【０１１２】
（基地局１００による通信制御処理）
まず、図１１及び図１２を参照して、基地局１００による通信制御処理の例を説明する。
【０１１３】
−ページング区間の選択及び通知
図１１は、本実施形態に係る基地局１００による第１の通信制御処理の概略的な流れの一例を示すフローチャートである。当該第１の通信制御処理は、ページング区間の選択及び通知に係る処理である。
【０１１４】
まず、ページング区間選択部１５１は、端末装置２００のための第１のＤＲＸサイクルの長さを示す情報を取得する（Ｓ４０１）。例えば、当該第１のＤＲＸサイクルの長さは、ページング区間の長さで割り切れない長さである。また、ページング区間選択部１５１は、端末装置２００のためのページング区間を個別にシフトするためのシフト情報を取得する（Ｓ４０３）。
【０１１５】
次に、ページング区間選択部１５１は、上記第１のＤＲＸサイクルの長さを示す情報、及び上記シフト情報に基づいて、上記第１のＤＲＸサイクルの長さを有する期間に繰り返し存在する複数のページング区間の中からページング区間を選択する（Ｓ４０５）。
【０１１６】
その後、ページング区間通知部１５３は、選択された上記ページング区間を端末装置２００に通知する（Ｓ４０７）。そして、処理は終了する。
【０１１７】
−ページングメッセージの生成
図１２は、本実施形態に係る基地局１００による第２の通信制御処理の概略的な流れの一例を示すフローチャートである。当該第２の通信制御処理は、ページングメッセージの生成に係る処理である。
【０１１８】
まず、ページング制御部１５５は、ページング区間をピックアップする（Ｓ４２１）。
【０１１９】
また、ページング制御部１５５は、ページングの対象の端末装置を認識する（Ｓ４２３）。そして、ページング制御部１５５は、ページングの対象の端末装置の中に、第１のＤＲＸサイクルを使用する端末装置２００が含まれるかを判定する（Ｓ４２５）。
【０１２０】
ページングの対象の端末装置の中に、第１のＤＲＸサイクルを使用する端末装置２００が含まれていれば（Ｓ４２５：Ｙｅｓ）、ページング制御部１５５は、ピックアップされたページング区間が、第１のＤＲＸサイクルを使用する端末装置２００のために選択されたページング区間かを、さらに判定する（Ｓ４２７）。そうでなければ（Ｓ４２５：Ｎｏ）、ページング制御部１５５は、第１のＤＲＸサイクルを使用する端末装置２００を含まない端末装置（例えば、端末装置２０）へのページングメッセージを生成する（Ｓ４３１）。
【０１２１】
ピックアップされたページング区間が、選択された上記ページング区間であれば（Ｓ４２７：Ｙｅｓ）、ページング制御部１５５は、第１のＤＲＸサイクルを使用する端末装置２００を含む端末装置（例えば、端末装置２００及び端末装置２０）へのページングメッセージを生成する（Ｓ４２９）。そうでなければ（Ｓ４２７：Ｎｏ）、ページング制御部１５５は、第１のＤＲＸサイクルを使用する端末装置２００を含まない端末装置（例えば、端末装置２０）へのページングメッセージを生成する（Ｓ４３１）。
【０１２２】
ページングメッセージが生成されると（Ｓ４２９、Ｓ４３１）、ページング制御部１５５は次のページング区間をピックアップし（Ｓ４２１）、処理が繰り返される。
【０１２３】
なお、生成されたページングメッセージは、ピックアップされたページング区間において、対応するページング機会に送信される。
【０１２４】
（端末装置２００による通信制御処理）
次に、図１３を参照して、端末装置２００による通信制御処理の例を説明する。図１３は、本実施形態に係る端末装置２００による通信制御処理の概略的な流れの一例を示すフローチャートである。当該通信制御処理は、ＤＲＸ動作及びページングメッセージの受信に係る処理である。
【０１２５】
まず、ＤＲＸ制御部２６５は、受信動作の少なくとも一部が停止するように、端末装置２００を制御する（Ｓ５２１）。
【０１２６】
また、ＤＲＸ制御部２６５は、到来するページング区間を認識する（Ｓ５２３）。そして、ＤＲＸ制御部２６５は、到来するページング区間が、選択されたページング区間であるかを判定する（Ｓ５２５）。到来するページング区間が、選択されたページング区間でなければ（Ｓ５２５：Ｎｏ）、その後、ＤＲＸ制御部２６５は、さらに到来するページング区間を認識する（Ｓ５２３）。
【０１２７】
到来するページング区間が、選択されたページング区間であれば（Ｓ５２５：Ｙｅｓ）、その後ページング区間が到来すると、ＤＲＸ制御部２６５は、端末装置２００の端末ＩＤに対応するページング機会の前に受信動作が再開するように、端末装置２００を制御する（Ｓ５２７）。そして、端末装置２００は、ページング機会にページングメッセージを受信する（Ｓ５２９）。
【０１２８】
その後、再び、ＤＲＸ制御部２６５は、受信動作の少なくとも一部が停止するように、端末装置２００を制御する（Ｓ５２１）。そして、処理は繰り返される。
【０１２９】
＜５．応用例＞
本開示に係る技術は、様々な製品へ応用可能である。例えば、基地局１００は、マクロｅＮＢ、ピコｅＮＢ、又はホームｅＮＢなどのいずれかの種類のｅＮＢ（evolved  Node  B）として実現されてもよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。
【０１３０】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ通信を行う端末（ＭＴＣ端末ともいう）として実現されてもよい。さらに、端末装置２００は、これら端末に搭載される無線通信モジュール（例えば、１つのダイで構成される集積回路モジュール）であってもよい。
【０１３１】
＜５−１．基地局に関する応用例＞
（第１の応用例）
図１４は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１３２】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１４に示したように複数のアンテナ８１０を有し、複数のアンテナ８１０は、例えばｅＮＢ８００が使用する複数の周波数帯域にそれぞれ対応してもよい。なお、図１４にはｅＮＢ８００が複数のアンテナ８１０を有する例を示したが、ｅＮＢ８００は単一のアンテナ８１０を有してもよい。
【０１３３】
基地局装置８２０は、コントローラ８２１、メモリ８２２、ネットワークインタフェース８２３及び無線通信インタフェース８２５を備える。
【０１３４】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１３５】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１３６】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１３７】
無線通信インタフェース８２５は、図１４に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１４に示したように複数のＲＦ回路８２７を含み、複数のＲＦ回路８２７は、例えば複数のアンテナ素子にそれぞれ対応してもよい。なお、図１４には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１３８】
（第２の応用例）
図１５は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１３９】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１５に示したように複数のアンテナ８４０を有し、複数のアンテナ８４０は、例えばｅＮＢ８３０が使用する複数の周波数帯域にそれぞれ対応してもよい。なお、図１５にはｅＮＢ８３０が複数のアンテナ８４０を有する例を示したが、ｅＮＢ８３０は単一のアンテナ８４０を有してもよい。
【０１４０】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１４を参照して説明したコントローラ８２１、メモリ８２２及びネットワークインタフェース８２３と同様のものである。
【０１４１】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１４を参照して説明したＢＢプロセッサ８２６と同様のものである。無線通信インタフェース８５５は、図１５に示したように複数のＢＢプロセッサ８５６を含み、複数のＢＢプロセッサ８５６は、例えばｅＮＢ８３０が使用する複数の周波数帯域にそれぞれ対応してもよい。なお、図１５には無線通信インタフェース８５５が複数のＢＢプロセッサ８５６を含む例を示したが、無線通信インタフェース８５５は単一のＢＢプロセッサ８５６を含んでもよい。
【０１４２】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１４３】
また、ＲＲＨ８６０は、接続インタフェース８６１及び無線通信インタフェース８６３を備える。
【０１４４】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１４５】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１５に示したように複数のＲＦ回路８６４を含み、複数のＲＦ回路８６４は、例えば複数のアンテナ素子にそれぞれ対応してもよい。なお、図１５には無線通信インタフェース８６３が複数のＲＦ回路８６４を含む例を示したが、無線通信インタフェース８６３は単一のＲＦ回路８６４を含んでもよい。
【０１４６】
図１４及び図１５に示したｅＮＢ８００及びｅＮＢ８３０において、図４を用いて説明した基地局１００のページング区間選択部１５１、ページング区間通知部１５３及びページング制御部１５５は、無線通信インタフェース８２５並びに無線通信インタフェース８５５及び／又は無線通信インタフェース８６３において実装されてもよい。また、これら機能の少なくとも一部は、コントローラ８２１及びコントローラ８５１において実装されてもよい。
【０１４７】
＜５−２．端末装置に関する応用例＞
（第１の応用例）
図１６は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１４８】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１４９】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１５０】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図１６に示したように複数のＢＢプロセッサ９１３及び複数のＲＦ回路９１４を含んでもよい。なお、図１６には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０１５１】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０１５２】
アンテナスイッチ９１５の各々は、無線通信インタフェース９１２に含まれる複数の回路（例えば、異なる無線通信方式のための回路）の間でアンテナ９１６の接続先を切り替える。
【０１５３】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図１６に示したように複数のアンテナ９１６を有してもよい。なお、図１６にはスマートフォン９００が複数のアンテナ９１６を有する例を示したが、スマートフォン９００は単一のアンテナ９１６を有してもよい。
【０１５４】
さらに、スマートフォン９００は、無線通信方式ごとにアンテナ９１６を備えてもよい。その場合に、アンテナスイッチ９１５は、スマートフォン９００の構成から省略されてもよい。
【０１５５】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図１６に示したスマートフォン９００の各ブロックへ電力を供給する。補助コントローラ９１９は、例えば、スリープモードにおいて、スマートフォン９００の必要最低限の機能を動作させる。
【０１５６】
図１６に示したスマートフォン９００において、図１０を用いて説明した端末装置２００の要望通知部２６１、情報取得部２６３及びＤＲＸ制御部２６５は、無線通信インタフェース９１２において実装されてもよい。また、これら機能の少なくとも一部は、プロセッサ９０１又は補助コントローラ９１９において実装されてもよい。
【０１５７】
（第２の応用例）
図１７は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０１５８】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１５９】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１６０】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１６１】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図１７に示したように複数のＢＢプロセッサ９３４及び複数のＲＦ回路９３５を含んでもよい。なお、図１７には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０１６２】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０１６３】
アンテナスイッチ９３６の各々は、無線通信インタフェース９３３に含まれる複数の回路（例えば、異なる無線通信方式のための回路）の間でアンテナ９３７の接続先を切り替える。
【０１６４】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図１７に示したように複数のアンテナ９３７を有してもよい。なお、図１７にはカーナビゲーション装置９２０が複数のアンテナ９３７を有する例を示したが、カーナビゲーション装置９２０は単一のアンテナ９３７を有してもよい。
【０１６５】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０１６６】
バッテリー９３８は、図中に破線で部分的に示した給電ラインを介して、図１７に示したカーナビゲーション装置９２０の各ブロックへ電力を供給する。また、バッテリー９３８は、車両側から給電される電力を蓄積する。
【０１６７】
図１７に示したカーナビゲーション装置９２０において、図１０を用いて説明した端末装置２００の要望通知部２６１、情報取得部２６３及びＤＲＸ制御部２６５は、無線通信インタフェース９３３において実装されてもよい。また、これら機能の少なくとも一部は、プロセッサ９２１において実装されてもよい。
【０１６８】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０１６９】
＜６．まとめ＞
ここまで、図１〜図１７を用いて、本開示の実施形態に係る通信装置及び各処理を説明した。本開示に係る実施形態によれば、ページング区間選択部１５１は、端末装置２００のための第１のＤＲＸサイクルの長さを有する期間に繰り返し存在する複数のページング区間の中からページング区間を選択する。また、ページング制御部１５５は、端末装置２００へのページングを行う場合には、選択される上記ページング区間内で当該ページングを行う。また、上記第１のＤＲＸサイクルの長さは、ページング区間の各々の長さで割り切れない長さである。
【０１７０】
これにより、より柔軟なＤＲＸを実現することが可能になる。
【０１７１】
例えば、第１に、ページング区間の長さよりも長いＤＲＸサイクルを使用することが可能になる。これにより、端末装置２００の消費電力をより抑制することが可能になる。また、例えば、第２に、長いＤＲＸサイクルが使用されたとしても、端末装置の識別情報（例えば、ＩＭＳＩ）にかかわらず、ページング機会をより短い期間内に（即ち、選択されたページング区間内に）限定することができるので、より望ましいタイミングにページングを行うことが可能になる。また、例えば、第３に、所望のＤＲＸサイクルがページング区間により割り切れない場合であっても、当該所望のＤＲＸサイクルに非常に近いＤＲＸサイクルを実現することが可能になる。
【０１７２】
結果として、例えば、５分、１０分などの長さを有する実用上有用なＤＲＸサイクルを小さい誤差（例えば、１ページング区間未満）で実現することが可能になる。また、例えば、所望の時刻（例えば、時刻０：００、０：０５、０：１０のなどの時刻）にページングを行うことが可能になる。そのため、例えば、ＭＴＣアプリケーションなどの様々なアプリケーションの要求に応じた端末装置の動作を実現することが可能になる。
【０１７３】
さらに、例えば、ページング制御部１５５は、端末装置２００へのページングを行う場合には、選択される上記ページング区間内の、端末装置２００の端末ＩＤに対応するページング機会に、端末装置２００へのページングを行う。
【０１７４】
これにより、例えば、既存のページングの仕組みを維持しつつ、第１のＤＲＸサイクルを有する端末装置２００へのページングを行うことが可能になる。
【０１７５】
また、例えば、ページング区間選択部１５１は、端末装置２００のためにページング区間を個別にシフトするためのシフト情報に基づいて、上記複数の期間の各々について上記複数のページング区間の中からページング区間を選択する。
【０１７６】
このようなシフト情報に基づくページング区間の選択により、選択するページング区間を自由にシフトすることが可能になる。そのため、例えば、より望ましいタイミングでのページングメッセージの送受信が可能になる。一例として、アプリケーションごとのデータ処理に要する時間などを考慮して適切なタイミングでページングメッセージを送受信することが可能になる。
【０１７７】
また、例えば、ページング区間通知部１５３は、選択される上記ページング区間を端末装置２００に通知する。
【０１７８】
このような通知により、端末装置２００は、適切なＤＲＸ動作を行うことが可能になる。
【０１７９】
第１の例として、ページング区間通知部１５３は、選択される上記ページング区間を示す情報（即ち、ページング区間情報）を端末装置２００に提供することにより、選択される上記ページング区間を端末装置２００に通知する。
【０１８０】
これにより、基地局１００は、端末装置２００に依存することなく、ページング区間をより自由に選択することが可能になる。
【０１８１】
第２の例として、ページング区間通知部１５３は、選択される上記ページング区間を特定するための１つ以上のパラメータを示す情報（即ち、パラメータ情報）を端末装置２００に提供することにより、選択される上記ページング区間を端末装置２００に通知してもよい。
【０１８２】
これにより、端末装置２００は、選択されるページング区間を自ら特定することが可能になる。そのため、選択されたページング区間は端末装置２００に随時通知されなくてもよい。その結果、例えば、ページング区間の通知に要するオーバーヘッドが抑えられ得る。
【０１８３】
なお、上記複数のページング区間の中からのページング区間を選択すること、又は、選択される上記ページング区間内で上記ページングを行うことは、ＤＲＸ動作に関する端末装置２００の要望を考慮して行われてもよい。
【０１８４】
これにより、例えば、端末装置２００が所望のＤＲＸ動作を行う可能性が向上し得る。
【０１８５】
以上、添付図面を参照しながら本開示の好適な実施形態を説明したが、本開示は係る例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。
【０１８６】
例えば、複数のページング区間の中からのページング区間の選択を基地局が主体的に行う例を説明したが、本開示は係る例に限定されない。例えば、基地局以外の装置（例えば、コアネットワークノード）が、上記ページング区間の選択をまず行い、選択されたページング区間を基地局に通知してもよい。そして、基地局は、複数のページング区間の中から、通知されたページング区間を選択してもよい。
【０１８７】
また、ページング区間の長さで割り切れない１つのＤＲＸサイクル（即ち、第１のＤＲＸサイクル）が使用される例を説明したが、本開示は係る例に限定されない。例えば、ページング区間の長さで割り切れない別の１つ以上のＤＲＸサイクルがさらに使用されてもよい。
【０１８８】
また、１つのページング区間が使用される例を説明したが、本開示は係る例に限定されない。例えば、別の１つ以上のページング区間がさらに使用されてもよい。この場合に、当該別の１つ以上のページング区間の各々と同一の長さのＤＲＸサイクルも使用されてもよい。また、第１のＤＲＸサイクルを使用する端末装置のために選択されるページング区間は、上記１つのページング区間及び上記別の１つ以上のページング区間のうちのいずれかのページング区間であってもよい。
【０１８９】
また、主として各端末装置が１つのＤＲＸサイクルを使用する例を説明したが、本開示は係る例に限定されない。例えば、各端末装置は、複数のＤＲＸサイクル候補のうちの１つをＤＲＸサイクルとして使用してもよい。また、複数のＤＲＸサイクル候補のうちの１つは、基地局により決定されてもよい。
【０１９０】
また、本明細書の通信制御処理における処理ステップは、必ずしもフローチャートに記載された順序に沿って時系列に実行されなくてよい。例えば、通信制御処理における処理ステップは、フローチャートとして記載した順序と異なる順序で実行されても、並列的に実行されてもよい。
【０１９１】
また、通信制御装置（基地局を構成する装置）及び端末装置に内蔵されるＣＰＵ、ＲＯＭ及びＲＡＭなどのハードウェアに、上記通信制御装置及び上記端末装置の各構成と同等の機能を発揮させるためのコンピュータプログラムも作成可能である。また、当該コンピュータプログラムを記憶させた記憶媒体も提供されてもよい。また、当該コンピュータプログラムを記憶するメモリ（例えば、ＲＯＭ及びＲＡＭ）と、当該コンピュータプログラムを実行するプロセッサ（例えば、ＣＰＵ）を含む情報処理装置（例えば、処理回路、チップ）も提供されてもよい。
【０１９２】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０１９３】
なお、以下のような構成も本開示の技術的範囲に属する。
（１）
端末装置のための第１の不連続受信（ＤＲＸ）サイクルの長さを有する期間に繰り返し存在する複数のページング区間の中からページング区間を選択する選択部と、
前記端末装置へのページングを行う場合には、選択される前記ページング区間内で当該ページングを行う制御部と、
を備え、
前記第１のＤＲＸサイクルの前記長さは、前記複数のページング区間の各々の長さで割り切れない長さである、
通信制御装置。
（２）
前記複数のページング区間の各々は、所定の長さを有し、当該所定の長さの第２のＤＲＸサイクルを使用する各端末装置へのページングを行うための区間である、前記（１）に記載の通信制御装置。
（３）
前記制御部は、前記端末装置へのページングを行う場合には、選択される前記ページング区間内の、前記端末装置の識別情報に対応するページング機会に、前記端末装置への前記ページングを行う、前記（１）又は（２）に記載の通信制御装置。
（４）
前記選択部は、前記第１のＤＲＸサイクルの前記長さをそれぞれ有する連続する複数の期間の各々について、前記複数のページング区間の中からページング区間を選択する、前記（１）〜（３）のいずれか１項に記載の通信制御装置。
（５）
前記選択部は、前記複数の期間について選択される複数のページング区間の間隔が前記第１のＤＲＸサイクルの前記長さにより近くなるように、前記複数の期間の各々について前記複数のページング区間の中からページング区間を選択する、前記（４）に記載の通信制御装置。
（６）
前記選択部は、前記第１のＤＲＸサイクルの前記長さと前記複数のページング区間の各々の長さとを伴う除算を含む演算を使用して、前記複数の期間の各々について前記複数のページング区間の中からページング区間を選択する、前記（５）に記載の通信制御装置。
（７）
前記選択部は、端末装置のためにページング区間を個別にシフトするためのシフト情報に基づいて、前記複数の期間の各々について前記複数のページング区間の中からページング区間を選択する、前記（５）又は（６）に記載の通信制御装置。
（８）
選択される前記ページング区間を前記端末装置に通知する通知部をさらに備える、前記（１）〜（７）のいずれか１項に記載の通信制御装置。
（９）
前記通知部は、選択される前記ページング区間を示す情報を前記端末装置に提供することにより、選択される前記ページング区間を前記端末装置に通知する、前記（８）に記載の通信制御装置。
（１０）
前記通知部は、選択される前記ページング区間を特定するための１つ以上のパラメータを示す情報を前記端末装置に提供することにより、選択される前記ページング区間を前記端末装置に通知する、前記（８）に記載の通信制御装置。
（１１）
前記複数のページング区間の中からのページング区間を選択すること、又は、選択される前記ページング区間内で前記ページングを行うことは、ＤＲＸ動作に関する前記端末装置の要望を考慮して行われる、前記（１）〜（１０）のいずれか１項に記載の通信制御装置。
（１２）
前記複数のページング区間の各々の長さは、無線フレームを識別するためのシステムフレーム番号（ＳＦＮ）が最小である無線フレームの開始時点から前記ＳＦＮ番号が最大である無線フレームの終了時点までの長さの整数倍である、前記（１）〜（１１）のいずれか１項に記載の通信制御装置。
（１３）
前記端末装置は、マシンタイプ通信（ＭＴＣ）を行う装置である、前記（１）〜（１２）のいずれか１項に記載の通信制御装置。
（１４）
端末装置のための第１の不連続受信（ＤＲＸ）サイクルの長さを有する期間に繰り返し存在する複数のページング区間の中からページング区間をプロセッサにより選択することと、
前記端末装置へのページングを行う場合には、選択される前記ページング区間内で当該ページングを行うことと、
を含み、
前記第１のＤＲＸサイクルの前記長さは、前記複数のページング区間の各々の長さで割り切れない長さである、
通信制御方法。
（１５）
端末装置であって、
前記端末装置のための第１の不連続受信（ＤＲＸ）サイクルの長さを有する期間に繰り返し存在する複数のページング区間の中から選択されるページング区間を示す情報を取得する取得部と、
前記ページング区間を示す前記情報に基づいてＤＲＸ動作を制御する制御部と、
を備え、
前記第１のＤＲＸサイクルの前記長さは、前記複数のページング区間の各々の長さで割り切れない長さである、
端末装置。
（１６）
前記取得部は、前記ページング区間が基地局により通知されると、前記ページング区間を示す情報を取得する、前記（１５）に記載の端末装置。
（１７）
前記取得部は、前記ページング区間を特定するための１つ以上のパラメータを示す情報の提供により、前記ページング区間が基地局により通知されると、前記１つ以上のパラメータを使用して前記ページング区間を特定することにより、当該ページング区間を示す情報を取得する、前記（１６）に記載の端末装置。
（１８）
ＤＲＸ動作に関する前記端末装置の要望を基地局に通知する通知部をさらに備える、前記（１５）〜（１７）のいずれか１項に記載の端末装置。
（１９）
端末装置を制御する情報処理装置であって、
所定のプログラムを記憶するメモリと、
前記所定のプログラムを実行可能な１つ以上のプロセッサと、
を備え、
前記所定のプログラムは、
前記端末装置のための第１の不連続受信（ＤＲＸ）サイクルの長さを有する期間に繰り返し存在する複数のページング区間の中から選択されるページング区間を示す情報を取得することと、
前記ページング区間を示す前記情報に基づいてＤＲＸ動作を制御することと、
を実行させるためのプログラムであり、
前記第１のＤＲＸサイクルの前記長さは、前記複数のページング区間の各々の長さで割り切れない長さである、
情報処理装置。
【符号の説明】
【０１９４】
１        通信システム
１０      セル
１００    基地局
１５１    ページング区間選択部
１５３    ページング区間通知部
１５５    ページング制御部
２００    端末装置
２６１    要望通知部
２６３    情報取得部
２６５    ＤＲＸ（Discontinuous  Reception）制御部
【図１】
2015035674.tif 000005
【図２】
2015035674.tif 000006
【図３】
2015035674.tif 000007
【図４】
2015035674.tif 000008
【図５】
2015035674.tif 000009
【図６】
2015035674.tif 000010
【図７】
2015035674.tif 000011
【図８】
2015035674.tif 000012
【図９】
2015035674.tif 000013
【図１０】
2015035674.tif 000014
【図１１】
2015035674.tif 000015
【図１２】
2015035674.tif 000016
【図１３】
2015035674.tif 000017
【図１４】
2015035674.tif 000018
【図１５】
2015035674.tif 000019
【図１６】
2015035674.tif 000020
【図１７】
2015035674.tif 000021